(57)【要約】      （修正有）【課題】残コンを再度生コンにも有効活用可能なように処理し得る、しかもどこでも処理でき、得られた砂・ジャリをどこででも使用できる残コン処理装置を提供する。【解決手段】上部が開口したコンテナ状の箱体１に、仕切板３により、複数のタンク室４〜７を設けるとともに、箱体１の開口に懸架した架台８を設ける。この架台８上にミキサー９を載置し、ミキサー９に残コンと水を入れて、ミキサー９を回転駆動することにより、ミキサー内で、砂・ジャリなどの骨材を洗浄し、溢れる水を第３のタンク室６を経て第２のタンク室５に入れるとともに、洗浄の終了で、ミキサー９の底に残った骨材を、架台８の下に落とし、骨材保持部１０に積む。【選択図】図１
0003124094.tif 000002
【実用新案登録請求の範囲】
【請求項１】
上部開口で、仕切り板により少なくとも１個以上の室を形成したコンテナ状の箱体と、
残コンと水を混ぜるミキサーを載置するため、前記箱体の開口に懸架する架台と、
前記室の一つであって、前記ミキサーから溢れる水を溜める水貯留室と、
前記架台の下近傍に設けられ、前記ミキサーから放出される骨材を一時的に保持する骨材保持部と、
を備えることを特徴とする残コン処理装置。
【請求項２】
前記水貯留室に加え、前記ミキサー内に投入するための水を貯留する第２の水貯留室を備えることを特徴とする請求項１記載の残コン処理装置。
【請求項３】
前記架台は、網目材で形成したことを特徴とする請求項１又は請求項２記載の生コンの残コン処理装置。
【請求項４】
前記架台は、前記箱体に対して着脱可能に構成したものであることを特徴とする請求項１、請求項２又は請求項３記載の残コン処理装置。
【請求項５】
前記箱体の前後方向の一方の側部は、開放可能であり、この側端下部から前記架台まで、一輪車を引き上げるための導入路を設けた特徴とする請求項１、請求項２、請求項３又は請求項４記載の残コン処理装置。
【請求項６】
前記架台は、前記側端との間に小型工具を収容する工具収容部を設けたことを特徴とする請求項５記載の残コン処理装置。
【請求項７】
前記ミキサーは、残コン及び水を入れて軸方向に回転させるドラム部を、円筒状容器で内部に軸方向に、複数の撹拌片を設けたことを特徴とする請求項１、請求項２、請求項３、請求項４、請求項５又は請求項６載の残コン処理装置。
【考案の詳細な説明】
【技術分野】
【０００１】
この考案は、コンクリートの打設工事の際に発生する生コンクリートの残部（残コン）を有効に処理する残コン処理装置に関する。
【背景技術】
【０００２】
一般に、コンクリート打設作業の際に残コンが生じることは避けられず、これを再利用するためには、経費がかかり過ぎるため、従来は、工事現場の適当な空き地などに、そのまま放置し、固化させ、固化後に破砕機等で適当な大きさになるように破砕処理していた。
【０００３】
しかし、そのまま放置し、固定させた場合に、固化物の大きさが大きく、かつまちまちであり、その後の処理が困難であるところから、底板及び側板からなり、分解自在に組み立てられた上方が開口した箱状の本体内に取り外し自在に隔壁を縦横に配設して小区画を設けると共に、本体に機械的な振動を発生させる加振装置を取り付け、この加振装置によって底板、側板および隔壁の全部又は一部を振動させ、小区画内に充填した未固化の残コンクリートに振動を加えつつ、この残コンクリートを固化せしめるようにした残コンクリート処理装置が開示されている（例えば特許文献１参照）
また、底部が開閉可能となるように開口部となる上部が相互に軸支された一方部分と他方部分からなり、この一方部分と他方部分の閉鎖状態をロックする固定具と、一方部分と他方部分の底部に着脱可能に取り付けられたキャスターとを有するバケットを用い、このバケットの一方部分と他方部分の閉鎖状態をロックした上で、上部開口部から残コンを投入し、残コンを固化させてからロックを解除し、一方部分と他方部分をそれぞれ側方に引き上げ、底部を開口させて固化した残コンを落下させることで廃棄する様にした残コンの処理方法が開示されている（例えば特許文献２参照）。
【特許文献１】特開平９−４２３１号公報
【特許文献２】特許第３３９７３１号公報
【考案の開示】
【考案が解決しようとする課題】
【０００４】
上記した特許文献１、及び特許文献２に記載の残コン処理装置、残コン処理方法では、残コンを一定の大きさで固化することにより、廃棄処理が容易になった。しかしながら、これらの特許文献に記載の技術は、残コンを固化するものであるため、残コン中のセメンさらには砂、ジャリなどの骨材を再度、生コンに使用できないので、残コンを広く有効に活用するという点では十分でないという問題があった。
【０００５】
ところで、生コン打設の終了した時に、残コンがうまく処理され、再度生コンに適用できる砂・ジャリを得ることができれば非常に便利である。しかも、残コンを打設現場、次の活用現場、その他どこででも再生、使用できれば、さらに便利である。
【０００６】
この考案は、上記問題点に着目してなされたものであって、残コンを再度生コンにも有効活用可能なように処理し得る、しかもどこでも処理でき、得られた砂・ジャリをどこでも使用できる残コン処理装置を提供することを目的とする。
【課題を解決するための手段】
【０００７】
前記目的を達成するために、この考案の残コン処理装置は、上部開口で、仕切り板により少なくとも１個以上の室を形成したコンテナ状の箱体と、残コンと水を混ぜるミキサーを載置するため、前記箱体の開口に懸架する架台と、前記室の一つであって、前記ミキサーから溢れる水を溜める水貯留室と、前記架台の下近傍に設けられ、前記ミキサーから放出される骨材を一時的に保持する骨材保持部と、を備えることを特徴とする。
【０００８】
この考案の残コン処理装置において、好ましくは、前記水貯留室に加え、前記ミキサー内に投入するための水を貯留する第２の水貯留室を備えると良い。
【０００９】
また、この考案の残コン処理装置において、前記架台は、好ましくは、網目材で形成すると良い。
【００１０】
また、この考案の残コン処理装置において、前記架台は、好ましくは、前記箱体に対して着脱可能に構成すると良い。
【００１１】
また、この考案の残コン処理装置において、前記箱体の前後方向の一方の側部は、好ましくは、開放可能であり、この側端下部から前記架台まで、１輪車を引き上げるための導入路を設けると良い。
【００１２】
また、この考案の残コン処理装置において、好ましくは、前記架台と前記側端との間に小型工具を収容する工具収容部を設けると良い。
【００１３】
また、この考案の残コン処理装置において前記ミキサーは、残コン及び水を入れて軸方向に回転させるドラム部を有し、このドラム部の円筒状容器内部で軸方向に、複数の撹拌片を設けるものであってもよい。
【考案の効果】
【００１４】
この考案によれば、コンテナ状の箱体の開口に懸架した架台上に設置したミキサーに残コンと水を投入し、ミキサーを回転させることで、水と残コンを混ぜ合わせ、水で残コンの砂・ジャリからセメン・微粉を洗い流すことにより、洗い流した水は水槽へ、砂・ジャリなどの骨材は骨材保持部で保存することにより、水・セメンと骨材を完全に分離でき、得られた骨材を再度生コン用に活用できる。
【００１５】
又、コンテナ、ミキサーなどはすでに既存のあるいは市販のものを使用することもできるので、装置全体を安価に実現できる。
【００１６】
しかも、箱体として、コンテナを使用すれば、コンテナ車で装置全体を、どこにでも移動でき、したがって、残コン処理を、どこででも行うことが出来る。
【考案を実施するための最良の形態】
【００１７】
以下、実施の形態によりこの考案を、さらに詳細に説明する。図１は、この考案の一実施形態残コン処理装置の概略構成を示す外観斜視図、図２は、その平面図、図３は、図２のＡ−Ａ線で切断した側断面図である。この図１〜図３に基づいて、この実施形態残コン処理装置の構成を説明する。
【００１８】
この実施形態残コン処理装置は、装置の其台として、コンテナ状をした箱体１を備えている。この箱体１は、上方が開口しており、長手方向の一方端である後端１ａの側方が開閉可能なものを使用する。具体的には、例えば図４に示す観音開きタイプのコンテナ、図５に示す一枚開きタイプのコンテナ、図６に示す三方開きタイプのコンテナ等を使用できる。図１では、開閉可能なドアを省いて示している。
【００１９】
箱体１の長手方向の一方端である前端１ｂの側部上方に、引掛部２を備えている。箱体１には、仕切板３によって形成される４つのタンク室４，５，６，７を備えている。第１のタンク室４は、洗浄用、生コン練り用に使用する水を予め溜めておく水槽である。第２のタンク室５は、残コン処理に使用した洗浄済後の水を溜める水槽である。第３のタンク室６は、後述のミキサー９で残コン処理に使用した洗浄後の水を一時的に溜める水槽である。第４のタンク室７は、第１のタンク室４と同様の水を溜める水槽として、或いは、その他の用に使用するタンクとして予備的に設けてある。この考案において、箱体１に設けるタンク室は、上記した洗浄用、あるいは生コン練り用のものを１個設ければよく、その他のタンク室は、必要に応じて適宜設ければよい。
【００２０】
箱体１の上部開口の一部に懸架して、鉄製の網目状に形成された架台８が設けられている。この架台８の網目は、砂・砂利などの骨材が通り抜けて落下する程度の大きさに設定してある。この架台８上には、ミキサー９が載置されている。このミキサー９は、通常使用の既存のものを使用するが、ト゛ラムの入口が図１の矢印Ａと矢印Ｂの方向に傾け可能か、あるいは３６０度いずれの方向へも傾け可能で、回転自在なものを使用する。架台８の下方の箱体１の空間領域を骨材保持部１０として使用している。架台８にミキサー９を低い姿勢で設置するために、架台８のミキサー９の設置部下方は、ミキサー９の台部を収納する凹部を形成してもよい。このように構成することによりミキサー９への残コン投入作業が容易となる。また、架台８は、箱体１の長辺側部１ｃ，１ｄに対し、上方より嵌め込み装着可能な嵌め込み凹部８ｂを、図１０に示すように両端に設けてもよい。このように構成することにより、架台８を、箱体としてのコンテナに、自在に脱着することができる。
【００２１】
架台８の端部８ａと箱体１の後端１ａの底部１１間に、残コンを運ぶ手押１輪車を架台８まで引き上げる際に使用する鉄製網目状の導入路１２が設けられている。第４のタンク室７の後方と後端１ａ間に一輪車等の工具類を収容する工具収容部１３が設けられている。
【００２２】
次に、この実施形態残コン処理装置において、残コン処理を行う場合について説明する。架台８上に、ミキサー９を載置した状態で、ミキサー９内に処理すべき残コンと水を投入する。そして、ミキサー９のドラムを回転させる。ミキサー９のドラムでは、回転により、水と残コンとが混ぜ合わされ、結果として水によって砂・砂利等の骨材からセメン・その他の微紛が洗い出され、骨材のみが、ミキサー９の底部に残る。水をミキサー９に投入するときに、ミキサー９のドラムを矢印Ａ方向に傾けておくことにより、ミキサー９のドラムから溢れた水は、第３のタンク室６にあけられる。完全に洗浄が終了した段階で、ミキサ９のドラムがさらに傾けられ、ドラム中の残コン処理済の水が、さらに第３のタンク室６にあけられる。
【００２３】
第３のタンク室６の水は、ポンプ１４によって、吸い上げられ、第２のタンク室５に移される。洗浄済後の水をミキサー９から、第３のタンク室６にほぼ移し終えると、今度は、ミキサー９のドラムを、それまでの矢印Ａ方向とは、反対側の矢印Ｂ方向に傾け、ドラム内部の骨材を架台８に放出する。架台８上に落とされた骨材は、架台８の網目より、さらに下方に落下し、骨材保持部10に溜まる。骨材保持部１０は、架台８の下方の箱体底部の空間であり、落下した骨材は、この骨材保持部１０に、山状に積まれ、保持される。もっとも、この骨材保持部１０は、箱体１の後端１ａ側に、脱着自在な仕切り板を設け、この仕切り板を残コン処理時は装着しておき、箱体1より骨材を外部に出すときに、この仕切り板を外してもよい。
【００２４】
骨材を、箱体1より外に出す場合は、仕切り板のない場合そのままで、仕切り板を装着している場合仕切り板を外し、図7に示すように車両３０上で箱体１の前端１ｂを吊り上げて、後端１ａより、骨材をすべり降ろしてダンプ処理すると、骨材保持部１０の骨材を、箱体１から所望の場所で取り出し使用することが出来る。
【００２５】
なお、残コン処理時は、洗浄用の水は、装置外に水源があるときは、その水源から、ミキサー９に投入する。水源がない場合は、第１のタンク室４に溜めてある水を使用するとよい。
【００２６】
また、上記実施形態において、ミキサー９で残コンと水とを撹拌により混ぜ合わせ、骨材から、セメン・微紛を洗い流すために、ミキサーのドラム２０内は、図８に示すように、円弧状の攪拌片２１ａ、２１ｂ、２２ａ、２２ｂを設けたものを使用しても良いし、図９に示すように、ドラム２０の回転軸に平行に、複数の長手状の攪拌片２３ａ、２３ｂ、２３ｃを設けたものを使用しても良い。
【図面の簡単な説明】
【００２７】
【図１】この考案の一実施形態に係る残コン処理装置の概略構成を示す外観斜視図である。
【図２】同実施形態残コン処理装置の平面図である。
【図３】図２に示す同実施形態残コン処理装置のＡ−Ａで切断した側断面図である。
【図４】同実施形態残コン処理装置を構成する箱体として使用するコンテナの具体例を示す外観斜視図である。
【図５】同実施形態残コン処理装置を構成する箱体として使用するコンテナの他の具体例を示す外観斜視図である。
【図６】同実施形態残コン処理装置を構成する箱体として使用するコンテナのさらに他の具体例を示す外観斜視図である。
【図７】同実施形態で使用するコンテナの車両積み込み及びダンプ処理を説明する図である。
【図８】上記実施形態残コン処理装置に使用するミキサーのドラム内に設ける攪拌片を説明する断面図である。
【図９】上記実施形態残コン処理装置に使用するミキサーのドラム内に設ける攪拌片の他の例を説明する図である。
【図１０】上記実施形態残コン処理装置に使用する架台の、箱体への装着例を示す側断面図である。
【符号の説明】
【００２８】
１                        コンテナ状の箱体
２                        引掛部
３                        仕切板
４                        第１のタンク室
５                        第２のタンク室
６                        第３のタンク室
７                        第４のタンク室
８                        架台
９                        ミキサー
１０                      骨材保持部
１２                      導入路
１３                      工具収容部
１４                      ポンプ
【図１】
0003124094.tif 000003
【図２】
0003124094.tif 000004
【図３】
0003124094.tif 000005
【図４】
0003124094.tif 000006
【図５】
0003124094.tif 000007
【図６】
0003124094.tif 000008
【図７】
0003124094.tif 000009
【図８】
0003124094.tif 000010
【図９】
0003124094.tif 000011
【図１０】
0003124094.tif 000012